(57)【要約】【課題】定着ベルト４２の内周面に当接する当接部材４２と、該当接部材４２に対して定着ベルト４２を挟んで圧接されると共に定着ベルト４２を回転駆動させる加圧ローラー４３とを備えた定着装置において、定着ベルト４２の僅かなスリップも確実に検出する。【解決手段】加圧ローラー４３の周面は、加圧ローラー４３の軸方向の両端部のそれぞれに形成されて加圧ローラー４３の回転駆動力を定着ベルトに伝達する一対の駆動伝達面部４３ａと、一対の駆動伝達面部４３ａの間に位置し、一対の駆動伝達面部４３ａに比べて定着ベルト４２に対する動摩擦係数が低い通紙面部４３ｂとを有している。そして、駆動伝達面部４３ａの温度を検出する第一温度センサー６１と、通紙面部４３ｂの温度を検出する第二温度センサー６２との検出温度差を基に、定着ベルト４２のスリップが発生しているか否かを判定する。【選択図】図３
2016126052.tif 000002
【特許請求の範囲】
【請求項１】
加熱手段と、該加熱手段により加熱される定着ベルトと、該定着ベルトの内周面に当接する当接部材と、該当接部材に対して上記定着ベルトを挟んで圧接されると共に該圧接した状態で回転駆動されることで上記定着ベルトを回転駆動させる加圧ローラーとを備え、上記定着ベルトと上記加圧ローラーとの間に用紙を通過させることで当該用紙にトナー像を定着させる定着装置であって、
上記加圧ローラーの周面は、該加圧ローラーの軸方向の両端部のそれぞれに形成されて該加圧ローラーの回転駆動力を上記定着ベルトに伝達する一対の駆動伝達面部と、該一対の駆動伝達面部の間に位置し、該一対の駆動伝達面部に比べて上記定着ベルトに対する動摩擦係数が低い通紙面部とを有しており、
上記駆動伝達面部に対向して配置され、該駆動伝達面部の温度を検出する第一温度センサーと、
上記通紙面部に対向して配置され、該通紙面部の温度を検出する第二温度センサーと、
上記第一及び第二温度センサーによる検出温度の温度差を基に、上記加圧ローラーに対する上記定着ベルトのスリップが発生しているか否かを判定するスリップ判定部と、を備えた定着装置。
【請求項２】
請求項１に記載の定着装置において、
上記第一及び第二温度センサーは互いに隣接して配置されている、定着装置。
【請求項３】
加熱手段と、該加熱手段により加熱される定着ベルトと、該定着ベルトの内周面に当接する当接部材と、該当接部材に対して上記定着ベルトを挟んで圧接されると共に該圧接した状態で回転駆動されることで上記定着ベルトを回転駆動させる加圧ローラーとを備え、上記定着ベルトと上記加圧ローラーとの間に用紙を通過させることで当該用紙にトナー像を定着させる定着装置であって、
上記加圧ローラーの周面は、該加圧ローラーの軸方向の両端部のそれぞれに形成されて該加圧ローラーの回転駆動力を上記定着ベルトに伝達する一対の駆動伝達面部と、該一対の駆動伝達面部の間に位置し、該一対の駆動伝達面部に比べて上記定着ベルトに対する動摩擦係数が低い通紙面部とを有しており、
上記加圧ローラーの周面に対向して配置され、該周面の温度を検出する温度センサーと、
上記温度センサーを、上記駆動伝達面部に対向して該駆動伝達面部の温度を検出可能な第一位置と上記通紙面部に対向して該通紙面部の温度を検出可能な第二位置とに、所定時間置きに切換える位置切換機構と、
上記温度センサーの上記第一位置における検出温度と上記第二位置における検出温度との温度差を基に、上記加圧ローラーに対する上記定着ベルトのスリップが発生しているか否かを判定するスリップ判定部と、を備えている定着装置
【請求項４】
請求項１乃至３のいずれか一項に記載の定着装置において、
上記スリップ判定部は、上記温度差が所定閾値を超えた場合に上記スリップが発生していると判定し、該温度差が上記所定閾値以下である場合には、上記スリップが発生していないと判定するように構成されている、定着装置。
【請求項５】
請求項１乃至４のいずれか一項に記載の定着装置において、
上記駆動伝達面部はシリコンゴム又はウレタンからなり、
上記通紙面部はＰＦＡチューブからなる、定着装置。
【請求項６】
請求項１乃至５のいずれか一項に記載の定着装置において、
上記スリップ判定部により上記スリップが発生していると判定された場合にその旨をユーザーに報知する報知部をさらに備えている、定着装置。
【請求項７】
請求項１乃至６のいずれか一項に記載の定着装置を備えた画像形成装置。
【発明の詳細な説明】
【技術分野】
【０００１】
本発明は、定着装置及び該定着装置を備えた画像形成装置に関する。
【背景技術】
【０００２】
従来より、電子写真方式の画像形成装置に搭載される定着装置として、無端状の定着ベルトと加熱体と加圧ローラーとを備えたものが知られている（例えば、特許文献１参照）。加熱体は定着ベルトの内周面に当接し、加圧ローラーは定着ベルトの外周面に当接している。加圧ローラーは、加熱体に対して定着ベルトを挟んで圧接されている。そして、この状態で加圧ローラーがモーターにより駆動されることで定着ベルトが回転するようになっている。定着装置は、この定着ベルトと加圧ローラーとの間に用紙を通過させることで当該用紙にトナー像を定着させる。これによれば、用紙にトナーを定着させる定着部材が肉厚の薄いベルト部材で構成されているので、定着部材の放熱性を高めてトナーのオフセット現象を防止することができるとされている。
【０００３】
この種の定着装置では、定着ベルトが加圧ローラーに対してスリップすることで、定着ベルトの回転速度が低下したり定着ベルトが停止したりする場合がある。この結果、定着ベルトの所定箇所が加熱体により局所的に加熱されてベルトが破損するという問題がある。
【０００４】
これに対して、例えば特許文献２に示す定着装置では、定着ベルトの温度をサーミスタにより検出して、該検出したベルト温度の時間経過に対する変化率が所定閾値を越える場合にスリップ異常と判定するようにしている。
【先行技術文献】
【特許文献】
【０００５】
【特許文献１】特開平０５−００２３５０号公報
【特許文献２】特開２０１０−２６６６９４号公報
【発明の概要】
【発明が解決しようとする課題】
【０００６】
ここで、定着ベルトがスリップしたとしても、定着ベルトがある程度回転している限り、定着ベルトの温度はそれほど急激に上昇しない。このため、上記特許文献２に示すように定着ベルトの温度を基にスリップ判定を行う方法では、定着ベルトが完全に停止するような大きなスリップは検出できても、定着ベルトがある程度回転し続けるような小さなスリップは検出し難いという問題がある。
【０００７】
本発明は、かかる点に鑑みてなされたものであり、その目的とするところは、定着ベルトが完全に停止して加熱手段からの熱で破損する前に、定着ベルトの僅かなスリップも見逃さず確実に検出できるようにすることにある。
【課題を解決するための手段】
【０００８】
本発明の一局面に係る定着装置は、加熱手段と、該加熱手段により加熱される定着ベルトと、該定着ベルトの内周面に当接する当接部材と、該当接部材に対して定着ベルトを挟んで圧接されると共に該圧接した状態で回転駆動されることで上記定着ベルトを回転駆動させる加圧ローラーとを備え、上記定着ベルトと上記加圧ローラーとの間に用紙を通過させることで当該用紙にトナー像を定着させるものである。
【０００９】
そして、上記加圧ローラーの周面は、該加圧ローラーの軸方向の両端部のそれぞれに形成されて該加圧ローラーの回転駆動力を上記定着ベルトに伝達する一対の駆動伝達面部と、該一対の駆動伝達面部の間に位置し、該一対の駆動伝達面部に比べて上記定着ベルトに対する動摩擦係数が低い通紙面部とを有しており、上記駆動伝達面部に対向して配置され、該駆動伝達面部の温度を検出する第一温度センサーと、上記通紙面部に対向して配置され、該通紙面部の温度を検出する第二温度センサーと、上記第一及び第二温度センサーによる検出温度の温度差を基に、上記加圧ローラーに対する上記定着ベルトのスリップが発生しているか否かを判定するスリップ判定部と、を備えている。
【００１０】
この構成によれば、加圧ローラーに対して定着ベルトがスリップし始めると、加圧ローラーの周面の温度が摩擦により上昇し始める。ここで、駆動伝達面部の動摩擦係数は通紙面部の動摩擦係数よりも高い（通紙面部の動摩擦係数は駆動伝達面部よりも低い）ので、駆動伝達面部の方が通紙面部に比べてスリップ発生時の摩擦熱が多くなり該２つの面部の温度差が次第に大きくなる。本発明では、この点に着目して、スリップ判定部において第一及び第二温度センサーの検出温度の差（上記２つの面部の温度差）を基に上記スリップが発生しているか否かを判定するようにした。これによれば、定着ベルトがスリップして完全に停止する前の僅かなスリップも見逃さずに確実に検出することができる。よって、ユーザーは、スリップ判定部において上記スリップが発生していると判定された場合に加熱手段の電源をオフする等して定着ベルトの破損を回避することができる。
【００１１】
ここで、駆動伝達面部及び通紙面部の一方の温度のみに基づいてスリップ判定を行うことも考えられるが、この場合、単に加熱手段の加熱温度が上昇した場合でもスリップが発生していると誤判定してしまう虞がある。これに対して本発明では、駆動伝達面部と通紙面部との温度差に基づいてスリップ判定を行うようにしているので、このような誤判定を防止することができる。すなわち、単に加熱手段の加熱温度が上昇した場合には、駆動伝達面部及び通紙面部の双方の温度が同じように上昇して第一及び第二温度センサーの検出温度差が変化しない。したがって、本発明のように、第一及び第二温度センサーの検出温度差を基にスリップ判定を行うようにすれば上記誤判定を防止することができる。
【００１２】
上記第一及び第二温度センサーは互いに隣接して配置されていることが好ましい。
【００１３】
これにより、定着ベルトのスリップにより生じる駆動伝達面部と通紙面部との温度差を精度良く検出することができる。すなわち、例えば第二温度センサーが第一温度センサーから離れて配置されていると、各温度センサーの周囲に存在する熱源類も異なってくるため、両センサーの温度差が定着ベルトのスリップに起因するものか又は周囲の熱源類の影響によるものかを区別できなくなる。このため、スリップ判定部におけるスリップ判定精度が低下してしまう。これに対して上記構成では、第一及び第二温度センサーを互いに隣接して配置することで両温度センサーの周囲の熱源環境を同じにして、上記スリップ判定精度の低下を防止することができる。
【００１４】
本発明の他の局面に係る定着装置は、加熱手段と、該加熱手段により加熱される定着ベルトと、該定着ベルトの内周面に当接する当接部材と、該当接部材に対して定着ベルトを挟んで圧接されると共に該圧接した状態で回転駆動されることで上記定着ベルトを回転駆動させる加圧ローラーとを備え、上記定着ベルトと上記加圧ローラーとの間に用紙を通過させることで当該用紙にトナー像を定着させるものである。
【００１５】
そして、上記加圧ローラーの周面は、該加圧ローラーの軸方向の両端部のそれぞれに形成されて該加圧ローラーの回転駆動力を上記定着ベルトに伝達する一対の駆動伝達面部と、該一対の駆動伝達面部の間に位置し、該一対の駆動伝達面部に比べて上記定着ベルトに対する動摩擦係数が低い通紙面部とを有しており、上記加圧ローラーの周面に対向して配置され、該周面の温度を検出する温度センサーと、上記温度センサーを、上記駆動伝達面部に対向して該駆動伝達面部の温度を検出可能な第一位置と上記通紙面部に対向して該通紙面部の温度を検出可能な第二位置とに、所定時間置き切換える位置切換機構と、上記温度センサーの上記第一位置における検出温度と上記第二位置における検出温度との温度差を基に、上記定着ベルトに対する上記加圧ローラーのスリップが発生しているか否かを判定するスリップ判定部と、を備えている。
【００１６】
この構成によれば、上述のように第一温度センサーと第二温度センサーとの２つの温度センサーを用いるのではなく、１つの温度センサーを使用してそのセンサー位置を位置切換機構により、駆動伝達面部の温度を検出する第一位置と通紙面部の温度を検出する第二位置とに切替えるようにした。これによれば、２つの温度センサーの検出精度を一致させるための校正作業等が不要になるのでメンテナンス性を向上させることができる。
【００１７】
上記スリップ判定部は、上記温度差が所定閾値を超えた場合に上記スリップが発生していると判定し、該温度差が上記所定閾値以下である場合には上記スリップが発生していないと判定するように構成されていることが好ましい。
【００１８】
この判定方法により上記定着ベルトのスリップを確実に検出することができる。
【００１９】
上記駆動伝達面部はシリコンゴム又はウレタンからなり、上記通紙面部はＰＦＡチューブからなることが好ましい。
【００２０】
この構成によれば、駆動伝達面部と通紙面部とで動摩擦係数を大きく異ならせることができる。これにより、定着ベルトのスリップが発生した際、駆動伝達面部及び通紙面部間の温度差を生じ易くして、スリップ判定部におけるスリップ判定精度を向上させることができる。
【００２１】
上記スリップ判定部により上記スリップが発生していると判定された場合にその旨をユーザーに報知する報知部をさらに備えていることが好ましい。
【００２２】
この構成によれば、スリップ判定部において定着ベルトのスリップが発生していると判定された場合には、その旨が報知部によりユーザーに報知される。したがって、ユーザーは、報知部からの報知情報を基に、定着ベルトが加圧ローラーに対してスリップしていることを容易に認識して対策を講じることができる。
【００２３】
本発明に係る画像形成装置は、上記定着装置を備えている。
【００２４】
この構成によれば、定着ベルトのスリップを極力回避して、定着ベルトのスリップに起因する印刷画像の画質低下を抑制することができる。  
【発明の効果】
【００２５】
本発明によれば、定着ベルトが完全に停止して加熱手段からの熱で破損する前に、定着ベルトの僅かなスリップも見逃さず確実に検出することができる。
【図面の簡単な説明】
【００２６】
【図１】図１は、実施形態における定着装置を備えた画像形成装置の内部構造を示す概略図である。
【図２】図２は、定着装置の内部構造を示す概略図である。
【図３】図３は、定着ベルト及び加圧ローラーを示す上側から見た概略図である。
【図４】図４は、加圧ローラーの軸方向の一端部を拡大して示す拡大斜視図である。
【図５】図５は、コントローラーにおけるスリップ判定制御を説明するための説明図である。
【図６】図６は、実施形態２を示す図４相当図である。
【図７】図７は、位置切換機構の動作を説明するための説明図である。
【図８】図８は、他の実施形態を示す図２相当図である。
【発明を実施するための形態】
【００２７】
以下、本発明の実施形態を図面に基づいて詳細に説明する。尚、本発明は、以下の実施形態に限定されるものではない。
【００２８】
《実施形態》
図１は、本実施形態における画像形成装置１を示している。画像形成装置１は、本実施形態ではモノクロレーザープリンターからなる。以下の説明において、「前側」、「後側」は、画像形成装置１の前側、後側（図１の紙面垂直方向の手前側、奥側）を意味し、「左側」「右側」は、画像形成装置１を前側から見たときの「左側」、「右側」を意味する。
【００２９】
この画像形成装置１は、給紙部１０、作像部２０、定着部４０、排紙部５０、及び筐体６０を有している。給紙部１０から排紙部５０に至る用紙搬送経路Ｔには、用紙Ｐを挟持して搬送する複数の搬送ローラー対１１〜１３が配置されている。上記給紙部１０は、筐体６０内の下部に配置されている。給紙部１０は、シート状の用紙Ｐが収容される給紙カセット１０ａと、該給紙カセット１０ａ内の用紙Ｐを取り出して該カセット外に送り出すためのピックアップローラー１０ｂとを有している。給紙カセット１０ａよりカセット外に送り出された用紙Ｐは、搬送ローラー対１１を介して作像部２０に供給される。
【００３０】
作像部２０は、感光体ドラム２１、帯電器２３、露光装置２５、現像装置２７、転写器２９、及びトナーコンテナ（図示省略）を有している。作像部２０では、帯電器２３によって感光体ドラム２１の周面を帯電させた後、露光装置２５によって感光体ドラム２１の表面に原稿画像データ（例えば、外部端末より受信した原稿画像の画像データ）に基づくレーザー光を照射することで静電潜像を形成する。感光体ドラム２１の表面に形成（担持）された静電潜像は、現像装置２７によりトナー像として現像される。現像装置２７によって現像されたトナー像は、転写器２９によって、給紙部１０から供給される用紙Ｐに対して転写される。該転写後の用紙Ｐは、転写器２９の転写ローラー２９aと感光体ドラム２１とよって定着部４０に供給される。
【００３１】
定着部４０は、上記作像部２０より供給される用紙Ｐを定着ベルト４２及び加圧ローラー４３間で加圧及び加熱することにより、当該用紙Ｐにトナー像を定着させる。そして、定着部４０にてトナー像が定着された用紙Ｐは、定着ベルト４２及び加圧ローラー４３の回転に伴って下流側へと送り出される。この送り出された用紙Ｐは、複数の搬送ローラー対１２，１３によって、筐体６０の上面に形成された排紙部５０に排出される
図２及び図３に示すように、定着部４０は、定着ベルト４２と加圧ローラー４３とこれらを収容するハウジング４４とを有している。定着ベルト４２は、前後方向に長い略円筒状に形成されている。定着ベルト４２は、可撓性を有しており、周方向において無端状に形成されている。定着ベルト４２の前後方向の両端部は挿入支持部４１によって支持されている。挿入支持部４１は、前後方向から見て円弧状（右向きＣ字状）に形成されている。挿入支持部４１は側板４９（図３参照）から突出していて、該側板４９を介してハウジング４４に固定されている。
【００３２】
定着ベルト４２の径方向内側には、一対のヒーター４５、反射板４６、支持部材４７及び当接部材４８が設けられている。上記一対のヒーター４５はハロゲンヒーターによって構成されている。上記反射板４６はヒーター４５の右側に配置されている。反射板４６は、右側に開放する断面コ字状に形成されていて、支持部材４７に取付けられている。反射板４６は、ヒーター４５から放射される輻射熱を定着ベルト４２の内周面に向けて反射する。ヒーター４５からの熱は定着ベルト４２の内周面から外周面に伝達される。これにより、定着ベルト４２の外周面が加熱される。ヒーター４５は後述のコントローラー１００（図４参照）により制御される。コントローラー１００は、定着ベルト４２の近傍に配置されたベルト温度検知センサー（図示省略）からの温度情報を基に、４５への供給電力を制御することで、定着ベルト４２の外周面の温度を目標温度に制御する。
【００３３】
上記支持部材４７は、前後方向に延びて断面コ字状をなす一対の板金４７ａ，４７ｂを組み合わせることで形成されている。上記当接部材４８は、支持部材４７における反射板４６が取付けられる側とは反対側に取付けられている。当接部材４８は前後方向に長い平板状に形成されている。当接部材４８の右側面の上端部は、下側から上側に向かって右側（用紙搬送方向の上流側から下流側に向かって加圧ローラー４３側）に湾曲するＲ曲面状に形成されていてもよい。上記定着ベルト４２は該当接部材４８と加圧ローラー４３との間に挟まれて変形する。そうして当接部材４８の右側面の略全体に定着ベルト４２の内周面が当接する。
【００３４】
加圧ローラー４３は、前後方向に延びる円柱状に形成されていて、該ローラー４３と同軸に配置された支持軸５２を介してハウジング４４に支持されている。加圧ローラー４３の外周面は、定着ベルト４２の外周面に当接している。加圧ローラー４３は、当接部材４８に対して定着ベルト４２を挟んで圧接されている。加圧ローラー４３は、不図示のモーターにより回転駆動される駆動ローラーである。定着ベルト４２は、加圧ローラー４３の回転に従動して回転する。そして、この定着ベルト４２と加圧ローラー４３との間に形成されるニップ部を、作像部２０から搬送されてきた用紙Ｐが通過することで当該用紙にトナー像が定着される。
【００３５】
上記加圧ローラー４３の外周面は、図３に示すように、一対の駆動伝達面部４３ａと通紙面部４３ｂとを有している。一対の駆動伝達面部４３ａは、加圧ローラー４３の回転駆動力を該定着ベルト４２に伝達する機能を有している。一対の駆動伝達面部４３ａは、加圧ローラー４３の軸方向の両端部のそれぞれに形成されている。各駆動伝達面部４３ａは、例えばウレタンやシリコンゴム等の弾性部材で構成されている。これにより、駆動伝達面部４３ａの動摩擦係数を十分に高めて、加圧ローラー４３の回転駆動力を定着ベルト４２に確実に伝達することができる。
【００３６】
通紙面部４３ｂは、用紙Ｐが通過する面部であって、加圧ローラー４３の外周面における上記一対の駆動伝達面部４３ａの間に形成されている。通紙面部４３ｂの定着ベルト４２に対する動摩擦係数は、駆動伝達面部４３ａの定着ベルト４２に対する動摩擦係数に比べて十分に小さい。これにより、用紙Ｐの離型性を高めることができる。通紙面部４３ｂは、例えばＰＦＡチューブにより構成される。
【００３７】
図４に示すように、上記加圧ローラー４３の周面近傍には、第一及び第二温度センサー６１，６２が加圧ローラー４３の軸方向において互いに隣接して配置されている。第一及び第二温度センサー６１，６２は、例えば非接触式のサーミスタからなり、端子ボックス７１，７２を介してコントローラー１００に接続されている。第一温度センサー６１は、加圧ローラー４３の軸方向の一端側の駆動伝達面部４３ａに対向して配置されている。第一温度センサー６１は、当該駆動伝達面部４３ａの温度を検出してその検出温度信号をコントローラー１００に出力する。第二温度センサー６２は、通紙面部４３ｂおける上記駆動伝達面部４３ａに隣接する部分に対向して配置されている。第二温度センサー６２は、通紙面部４３ｂの温度を検出してその検出温度信号をコントローラー１００に出力する。
【００３８】
コントローラー１００は、ＣＰＵ、ＲＯＭ及びＲＡＭ等を有するマイクロコンピュータからなる。コントローラー１００は、第一及び第二温度センサー６１，６２の検出温度の差を算出して、該算出した検出温度差を基に、定着ベルト４２が加圧ローラー４３に対してスリップしているか否かを判定する。コントローラー１００は、定着ベルト４２がスリップしていると判定した場合には、報知部１０１に対して報知指令を行う。報知部１０１は、コントローラー１００からの指令を受けて、ユーザーに対してその旨（つまり定着ベルト４２が加圧ローラー４３に対してスリップしている旨）をユーザーに報知する。報知部１０１は、例えば警告音を発するスピーカーや警告ランプを点灯させる点灯装置によって構成される。
【００３９】
次に、図５を参照しながら、コントローラー１００におけるスリップ判定方法について説明する。図５は、第一及び第二温度センサー６１，６２による検出温度の差の時間的変化を模式的に示したグラフである。定着ベルト４２が加圧ローラー４３に対してスリップしていない状態では、検出温度差は多少の変動はあっても略一定に維持される。しかし、定着ベルト４２が加圧ローラー４３に対してスリップし始めると、加圧ローラー４３の周面の温度が摩擦により上昇し始める。ここで、駆動伝達面部４３ａの動摩擦係数は通紙面部４３ｂの動摩擦係数よりも高いので、駆動伝達面部４３ａの方が通紙面部４３ｂに比べてスリップ発生時の摩擦熱が多くなり該２つの面部４３ａ，４３ｂの温度差が時間の経過と共に次第に大きくなる。本実施形態では、この点に着目して、コントローラー１００において、第一及び第二温度センサー６１，６２の検出温度の差（駆動伝達面部４３ａ及び通紙面部４３ｂの温度差）が所定閾値Ｔａを越えるか否かを判定し、越えると判定した場合には上記スリップが発生していると判定する一方、上記検出温度差が所定閾値Ｔａ以下であると判定した場合には、上記スリップが発生していないと判定するようにした。尚、この所定閾温度Ｔａは、上記スリップが開始し始めたときに生じると予測される第一及び第二温度センサー６１，６２の検出温度差と同じか又はそれよりもやや大きめの温度であって、予め実験等により設定される。
【００４０】
これによれば、定着ベルト４２がスリップにより完全に停止する前の僅かなスリップも見逃さずに確実に検出することができる。よって、ユーザーは、例えばコントローラー１００により上記スリップが発生していると判定された場合にハロゲンヒーター４２ａの電源をオフにする等して、定着ベルト４２の破損を防止することができる。
【００４１】
ここで、駆動伝達面部４３ａ及び通紙面部４３ｂの一方の温度のみに基づいてスリップ判定を行うことも考えられるが、この場合、単にハロゲンヒーター４２ａの加熱温度が上昇した場合でもスリップが発生していると誤判定してしまう虞がある。これに対して上記実施形態では、駆動伝達面部４３ａと通紙面部４３ｂとの温度差に基づいてスリップ判定を行うようにしているので、このような誤判定を防止することができる。すなわち、単にハロゲンヒーター４２ａの加熱温度が上昇した場合には、駆動伝達面部４３ａ及び通紙面部４３ｂの双方の温度が同じように上昇して第一及び第二温度センサー６１，６２の検出温度差が変化しない。したがって、本実施形態のように、第一及び第二温度センサー６１，６２の検出温度差を基にスリップ判定を行うようにすれば、かかる状況をスリップが発生しているものと誤判定することはない。
【００４２】
また、上記実施形態では、上記第一及び第二温度センサー６１，６２は互いに隣接して配置されているので、定着ベルト４２のスリップにより生じる駆動伝達面部４３ａと通紙面部４３ｂとの温度差をコントローラー１００により精度良く検出することができる。すなわち、例えば第二温度センサー６２が第一温度センサー６１から離れて配置されていると、各温度センサー６１，６２の周囲に存在する熱源類も異なってくるため、両温度センサー６１，６２の温度差が定着ベルト４２のスリップに起因するものか又は周囲の熱源類の影響によるものかを区別できなくなる。このため、コントローラー１００におけるスリップ判定精度が低下してしまう。これに対して上記実施形態では、第一及び第二温度センサー６１，６２を互いに隣接して配置することで両温度センサー６１，６２の周囲の熱源環境を同じにして、上記スリップ判定精度の低下を防止することができる。
【００４３】
また、上記実施形態では、駆動伝達面部４３ａはシリコンゴム又はウレタンにより構成され、駆動伝達面部４３ａはＰＦＡチューブにより構成されている。
【００４４】
この構成によれば、駆動伝達面部４３ａと通紙面部４３ｂとで動摩擦係数を大きく異ならせることができる。これにより、定着ベルト４２のスリップが発生した際、駆動伝達面部４３ａ及び通紙面部４３ｂ間の温度差を生じ易くして、コントローラー１００におけるスリップ判定精度を向上させることができる。
【００４５】
また、上記実施形態では、コントローラー１００によって定着ベルト４２がスリップしていると判定されると、報知部１０１によってその旨がユーザーに報知される。したがって、ユーザーは、報知部１０１からの報知情報を基に定着ベルト４２がスリップしていることを認識して適切な対策を講じることができる。
【００４６】
そして、上記画像形成装置１は上述の定着部４０を備えているので、定着ベルト４２のスリップを極力回避して、定着ベルト４２のスリップに起因する画像品質の低下や、定着ベルト４２の破損による画像形成装置１の故障を防止することができる。
【００４７】
《実施形態２》
図６は実施形態２を示す。この実施形態は、駆動伝達面部４３ａ及び通紙面部４３ｂの温度を１つの温度センサー６３で検出する点で上記実施形態１とは異なる。尚、図４と同じ構成要素には同じ符号を付してその詳細な説明を省略する。
【００４８】
すなわち、本実施形態では、温度センサー６３は、駆動伝達面部４３ａと通紙面部４３ｂとの境界部に１つだけ設けられている。温度センサー６３は、端子ボックス７３を介してコントローラー１００に接続されている。端子ボックス７３の上面の中央部には回動軸７３ａが垂直に固定されている。回動軸７３ａは、不図示の固定ブラケットに対して回動可能に支持されている。端子ボックス７３の側面には略扇型状のギア板７４が取付けられている。ギア板の周面にはウォームギア部が形成されている。
【００４９】
本実施形態の定着部４０は、温度センサー６３を、駆動伝達面部４３ａに対向する第一位置と通紙面部４３ｂに対向する第二位置とに所定時間置きに切換える位置切換機構９０を備えている。位置切換機構９０は、センサー駆動モーター８０と、該モーター８０の出力軸に固定されると共に上記ギア板７４のウォームギア部に噛合するピニオンギアー８１とを有している。センサー駆動モーター８０によりピニオンギアー８１が回転駆動されると、ギア板７４が回動軸７３ａを支点に回動する。この結果、端子ボックス７３が温度センサー６３と共に回動軸７３ａを支点に回転して、温度センサー６３の位置が変化する（図７参照）。センサー駆動モーター８０は、コトローラー１００からの指令を受けて、ピニオンギアー８１の回転方向を所定時間置き切換えることで、温度センサー６３の位置を所定時間置きに第一位置と第二位置とに切換える。
【００５０】
そして、コントローラー１００では、温度センサー６３の第一位置における検出温度と第二位置における検出温度との温度差を基に、定着ベルト４２が加圧ローラー４３に対してスリップしているか否かを判定する。この判定方法は、上記実施形態１と同様であるためその説明を省略する。  
【００５１】
以上説明したように、上記実施形態２では、実施形態１のように２つの温度センサー６１，６２を用いるのではなく、１つの温度センサー６３を使用してそのセンサー位置を位置切換機構９０により一位置と二位置とに切替えるようにした。これにより、２つの温度センサー６１，６２の検出精度を一致させるための校正作業等が不要になるのでメンテナンス性を向上させることができる。
【００５２】
《他の実施形態》
上記実施形態では、当接部材４８は平板状の固定部材により構成されているが、これに限ったものではなく、例えば図８に示すように当接部材４８を回転自在な支持ローラー３２によって構成するようにしてもよい。この図８の例では、定着ベルト４２は、支持ローラー３２と該支持ローラー３２の左側に設けられた加熱ローラー３３とに巻き掛けられている。加熱ローラー３３にはヒーター４５が内蔵されている。定着ベルト４２の外周面は、ヒーター４５から加熱ローラー３３を介して伝達される熱により加熱される。本発明はこのような定着装置４０に対しても適用することができる。
【００５３】
上記各実施形態では、駆動伝達面部４３ａは弾性部材で構成されている、これに限ったものではなく、通紙面部４３ｂに比べて高い動摩擦係数を有するものであれば、如何なる形状又は材質であってもよい。
【００５４】
上記各実施形態では、画像形成装置１がプリンターである例について説明したが、これに限ったものではなく、画像形成装置１は、複写機や複合機等であってもよい。
【００５５】
また、本発明は上記各実施形態に限定されるものでなく、本発明には、各実施形態を適宜組み合わせた構成が含まれる。
【産業上の利用可能性】
【００５６】
以上説明したように、本発明は、定着装置及び該定着装置を備えた画像形成装置について有用である。
【符号の説明】
【００５７】
１     画像形成装置
３２   支持ローラー（当接部材）
４０   定着部
４２   定着ベルト
４３   加圧ローラー
４３ａ 駆動面部      
４３ｂ 通紙面部
４５   ヒーター（加熱手段）
６１   第一温度センサー
６２   第二温度センサー
６３   温度センサー
９０   位置切換機構
１００ コントローラー（スリップ判定部）
【図１】
2016126052.tif 000003
【図２】
2016126052.tif 000004
【図３】
2016126052.tif 000005
【図４】
2016126052.tif 000006
【図５】
2016126052.tif 000007
【図６】
2016126052.tif 000008
【図７】
2016126052.tif 000009
【図８】
2016126052.tif 000010